(57)【特許請求の範囲】
【請求項１】
直線状に動作して打込み材の打込み作業を行う打込み部材と、
前記打込み部材に打込み作業を行わせるべく当該打込み部材を駆動する作動機構と、
前記作動機構を駆動するモータと、
前記モータの通電駆動と通電停止を操作する操作装置と、を有し、
前記打込み部材が一の打込み材の打込み動作を開始してから次の打込み材の打込み準備を完了するまでの期間を当該打込み部材の作業ストロークとする打込み作業工具であって、
前記操作装置は、
常時には前記モータの通電駆動を禁止するオフ状態に付勢され、使用者によって引き操作されることで前記モータの通電駆動を許容するオン状態に投入されるトリガスイッチと、
常時には前記モータの通電駆動を禁止するオフ状態に付勢され、前記トリガスイッチの引き操作に連動して前記モータの通電駆動を許容するオン状態に投入されるとともに、当該オン状態が前記作業ストローク中の所定期間にわたって維持されてからオフ状態へと復帰する内部スイッチと、を有し、
前記トリガスイッチと前記内部スイッチの両方がそれぞれオン状態に投入されることで前記モータが通電駆動され、いずれか一方がオフ状態に戻されたときには前記モータに対する通電が停止するように構成され、
更に前記操作装置は、前記トリガスイッチの引き操作によって当該トリガスイッチがオン状態に投入されるとともに、前記内部スイッチが前記トリガスイッチの引き操作に連動してオン状態に投入されて維持され、前記トリガスイッチの引き操作の解除によって当該トリガスイッチがオフ状態に戻される第１モードと、
前記トリガスイッチの引き操作の維持によって当該トリガスイッチのオン状態が維持されるとともに、前記内部スイッチが前記トリガスイッチとの連動を解除されるとともに前記作業ストロークの所定期間にわたってオン状態が維持されてからオフ状態へと復帰され、前記トリガスイッチの引き操作の解除によって当該トリガスイッチがオフ状態に戻される第２モードと、を有し、
前記トリガスイッチの引き操作による前記操作装置の前記第１モードへの投入によって前記打込み部材の作業ストロークが開始し、当該作業ストロークの開始後の所定時期に前記第１モードから前記第２モードに切り換わるように構成されており、
前記トリガスイッチの操作方向と、前記内部スイッチのオン状態への投入方向が同じ方向に定められており、
前記トリガスイッチは、使用者により操作方向へと引き操作される指操作部材と、前記指操作部材に連結されるとともに、操作方向に向って前記内部スイッチと連動して動く動作位置と、前記内部スイッチと連動しない非動作位置との間で切換可能とされた連動部材と、を有し、
前記連動部材は、常時には前記非動作位置に付勢されるとともに、前記第１モードにおいては、前記内部スイッチと当接することで前記付勢に抗して前記動作位置に保持され、前記第１モードから前記第２モードに切り換わる際、前記内部スイッチの投入方向への更なる動きに伴って前記当接が解除されることで前記動作位置から前記非動作位置に切り換わり、これにより前記内部スイッチとの連動が解除されることを特徴とする打込み作業工具。
【請求項２】
請求項１に記載の打込み作業工具であって、
前記指操作部材の引き操作が解除されることに伴い当該指操作部材が引き操作前位置へと復帰されるとき、前記連動部材を前記非動作位置から前記動作位置に切り換えるべく案内するガイド部材を有し、
前記連動部材は、その一部が弾性変形可能な弾性部材で構成され、
前記第２モードの終了に伴い前記内部スイッチが前記オン状態からオフ状態へと復帰された状態において、前記指操作部材の引き操作が解除され、当該指操作部材が引き操作前位置へと復帰されることに伴い前記連動部材がガイド部材によって前記非動作位置から前記動作位置に案内されるとき、前記連動部材は、前記内部スイッチに干渉することに伴い当該内部スイッチに対して前記弾性部材を介して弾発状に変位ないし変形し、これによって前記干渉による切り換わり動作を阻害されることなく前記非動作位置から前記動作位置への切り換わりが許容される構成としたことを特徴とする打込み作業工具。
【請求項３】
請求項２に記載の打込み作業工具であって、
前記連動部材を前記非動作位置に付勢する手段は、第１のバネ部材によって構成され、
前記弾性部材は、第２のバネ部材によって構成され、
前記第１のバネ部材と前記第２のバネ部材とは、それぞれの付勢力が互いに作用し合うように係合され、
前記第１のバネ部材の付勢力によって前記連動部材が前記動作位置から前記非動作位置に切り換わる場合、前記第２のバネ部材は、前記第１の付勢力を前記連動部材に対して当該連動部材を前記動作位置から前記非動作位置へと動作させる力として伝達する伝達要素として機能し、
前記連動部材が前記非動作位置から前記動作位置へと切り換わる場合、前記第１のバネ部材は、前記ガイド部材によって前記非動作位置から前記動作位置へと案内される際、前記第２のバネ部材によって初期位置に復帰されることを特徴とする打込み作業工具。
【請求項４】
請求項１〜３のいずれか１つに記載の打込み作業工具であって、
前記内部スイッチは、前記トリガスイッチの引き操作に連動して前記内部スイッチがオン状態となる投入方向へと移動する動作部材と、前記モータによって動作されるとともに、前記第１モードから第２モードに切り換わる際および切り換わり後の前記動作部材の動作を制御する制御部材と、を有し、
前記制御部材は、
前記動作部材と係合して相対移動することによって前記トリガスイッチの引き操作により投入方向へと移動された前記動作部材を更に投入方向へと動作させ、これにより前記内部スイッチのオン状態を維持しつつ前記動作部材の前記トリガスイッチとの連動を解除する連動解除領域と、
前記連動解除領域に連続し、前記動作部材と係合して更に相対移動することによって連動解除後における前記内部スイッチのオン状態を継続するオン状態継続領域と、
前記オン状態継続領域に連続し、前記動作部材との係合を解除することによって当該動作部材の前記投入方向と反対方向への移動を許容し、これにより前記内部スイッチのオフ状態への復帰を許容するオフ状態復帰領域と、を有することを特徴とする打込み作業工具。
【請求項５】
請求項４に記載の打込み作業工具であって、
前記制御部材のオフ状態復帰領域に、前記内部スイッチのオフ状態への復帰に伴う前記モータの通電停止後における、当該モータのブレーキ作動を可能とするブレーキ作動領域を備えたことを特徴とする打込み作業工具。
【発明の詳細な説明】
【技術分野】
【０００１】
本発明は、打込み部材を直線状に動作させて打込み材の打込み作業を行う打込み作業工具に関する。
【背景技術】
【０００２】
実用新案登録第２５６７８６７号公報（特許文献１）には、打込み部材としてのドライバの打込み動作の駆動力としてコイルバネの弾発力を利用するステープル打機の始動装置（操作装置）が開示されている。特許文献１に記載の始動装置は、ステープルの打込みを行う際、被加工材に対して押し当てられる接触検出アームと、使用者の指によって引き操作されるトリガと、前記接触検出アームによって動作され、あるいはトリガによって動作され、互いに連係あるいはその連係が解除される複数のレバーからなるレバー機構と、レバー機構によってオン・オフ状態が切り換えられる電源スイッチと、を有する。接触検出アームを被加工材に押し当てた状態でトリガを引くと、レバー機構を介して電源スイッチがオン状態に投入され、モータが通電駆動される。モータが駆動されることによりドライバがステープルの打込み動作を行い、打込み動作後のドライバが初期位置に向って動作する過程で、当該ドライバがレバー機構を介して電源スイッチをオン状態からオフ状態に戻すように構成されている。
【０００３】
上記のように構成される特許文献１に記載の始動装置によれば、トリガを一回引き操作する毎にドライバに一回の打込み作業を行わせ、初期位置に停止することができる。ところが、特許文献１に記載の始動装置は、接触検出アームを被加工材に押し当てる操作と、トリガの指による引き操作とを行うことで成立する方式であり、操作性の点でなお改良の余地がある。
【特許文献１】実用新案登録第２５６７８６７号公報
【発明の開示】
【発明が解決しようとする課題】
【０００４】
本発明は、かかる点に鑑み、打込み作業工具による打ち込み作業を行う際の、操作性の向上に資する技術を提供することを目的とする。
【課題を解決するための手段】
【０００５】
上記課題を達成するため、各請求項に記載の発明が構成される。
請求項１に記載の発明によれば、直線状に動作して打込み材の打込み作業を行う打込み部材と、打込み部材に打込み作業を行わせるべく当該打込み部材を駆動する作動機構と、作動機構を駆動するモータと、モータの通電駆動と通電停止を操作する操作装置とを有し、打込み材が一の打込み材の打込み動作を開始してから次の打込み材の打込み準備を完了するまでの期間を作業ストロークとする打込み作業工具が構成される。本発明における「打込み作業工具」は、典型的には、釘打機ないしタッカーがこれに該当し、「打込み材」としては、先端を尖らせた直線棒状のものであって、頭部に笠を有するもの、あるいは有しないもの、更にはＵ字状のステープル等を、広く包含する。
本発明における操作装置は、常時にはモータの通電駆動を禁止するオフ状態に付勢され、使用者によって引き操作されることでモータの通電駆動を許容するオン状態に投入されるトリガスイッチと、常時にはモータの通電駆動を禁止するオフ状態に付勢され、トリガスイッチの引き操作に連動してモータの通電駆動を許容するオン状態に投入されるとともに、当該オン状態が作業ストローク中の所定期間にわたって維持された後、オフ状態へと復帰する内部スイッチとを有する。そしてトリガスイッチと内部スイッチの両方がそれぞれオン状態に投入されることでモータが通電駆動され、いずれか一方がオフ状態に戻されたときにはモータに対する通電が停止するように構成されている。すなわち、使用者がトリガスイッチを引き操作することでモータが通電駆動され、打込み部材による打込み材の打込み作業が行われる構成とされている。
【０００６】
請求項１に記載の打込み作業工具における操作装置は、トリガスイッチの引き操作によって当該トリガスイッチがオン状態に投入されるとともに、内部スイッチがトリガスイッチの引き操作に連動してオン状態に投入されて維持され、トリガスイッチの引き操作の解除によって当該トリガスイッチがオフ状態に戻される第１モードと、トリガスイッチの引き操作の維持によって当該トリガスイッチのオン状態が維持されるとともに、内部スイッチがトリガスイッチとの連動を解除されるとともに作業ストロークの所定期間にわたってオン状態が維持されてからオフ状態へと復帰され、トリガスイッチの引き操作の解除によって当該トリガスイッチがオフ状態に戻される第２モードと、を有する。そしてトリガスイッチの引き操作による操作装置の第１モードへの投入によって打込み部材の作業ストロークが開始し、当該作業ストロークの開始後の所定時期に第１モードから第２モードに切り換わる構成としている。
【０００７】
本発明によれば、操作装置は、使用者によりトリガスイッチが引き操作されることによって第１モードに投入される。すなわち、トリガスイッチがモータの通電駆動を許容するオン状態に投入されるとともに、内部スイッチがトリガスイッチの引き操作に連動してモータの通電駆動を許容するオン状態に投入されて維持される。これによりモータが通電駆動され、打込み部材による打込み材の打込み作業ストロークが開始し、当該作業ストローク開始後の所定時期において第１モードから第２モードに切り換わる。そして第１モードから第２モードへの切り換わりによってトリガスイッチはオン状態を維持するが、内部スイッチはトリガスイッチとの連動を解除されるとともにオン状態を作業ストローク中の所定期間にわたって維持してからオフ状態へと復帰する。その結果、モータに対する通電が停止される。かくして、本発明によれば、トリガスイッチを一回引き操作する毎に打込み部材に一回の打込み作業を行わせてから停止させるといった動作を、トリガスイッチの引き操作のみで確実に行うことができる。すなわち、トリガスイッチの引き操作を維持していても打込み部材による二度打ちを確実に防止することができる。このため、接触検出アームの被加工材に対する押し当て操作とトリガの引き操作とを必要とする従来装置に比べて操作装置の操作性を向上することができる。
なおトリガスイッチの引き操作後における打込み部材による打込み材の打込み作業ストローク中において、当該トリガスイッチの引き操作を中断したとき、すなわちトリガスイッチの引き操作を操作途中で解除したときは、当該トリガスイッチがオフ状態に戻る。これにより、モータに対する通電を停止し、打込み作業を途中で止めることができる。また中断後において、トリガスイッチを再び引き操作してオン状態に投入すれば、モータが通電駆動されるため、中断した打ち込み部材による打ち込み作業を支障なく再開することができる。
【０００８】
また、本発明においては、トリガスイッチの操作方向と、内部スイッチのオン状態への投入方向が同じ方向に定められており、トリガスイッチは、使用者により操作方向へと引き操作される指操作部材と、指操作部材に連結されるとともに、操作方向に向って内部スイッチと連動して動く動作位置と、内部スイッチと連動しない非動作位置との間で切換可能とされた連動部材とを有する。そして連動部材は、常時には非動作位置に付勢されるとともに、第１モードにおいては、内部スイッチと当接することで付勢に抗して動作位置に保持され、第１モードから第２モードに切り換わる際、内部スイッチの投入方向への更なる動きに伴って当接が解除されることで動作位置から非動作位置に切り換わり、これにより内部スイッチとの連動が解除される構成としている。なお本発明における連動部材が「動作位置」と「非動作位置」との間で切り換わる態様としては、連動部材が指操作部材の移動方向と交差する方向に回動動作（円弧状の運動）する態様、あるいは直線動作する態様等を好適に包含する。本発明によれば、連動部材を動作位置あるいは非動作位置へと位置切り換え動作させることで、トリガスイッチと内部スイッチとを連動させ、あるいは連動を解除することができる。すなわち、トリガスイッチと内部スイッチとの連動あるいは連動の解除を簡単な構成で実現できる。また連動部材が「動作位置」と「非動作位置」との間で切り換わる態様として、連動部材が指操作部材の移動方向と交差する方向に回動動作する構成としたときは、ピンと孔との嵌め合いによる動作となるため、加工精度が出し易く円滑に動作させることができる。
【０００９】
（請求項２に記載の発明）
請求項２に記載の発明によれば、請求項１に記載の打込み作業工具において、指操作部材の引き操作が解除されることに伴い当該指操作部材が引き操作前位置へと復帰されるとき、連動部材を非動作位置から動作位置に切り換えるべく案内するガイド部材を有する。また連動部材の一部は、弾性変形可能な弾性部材によって構成されている。そして第２モードの終了に伴い内部スイッチがオン状態からオフ状態へと復帰された状態において、指操作部材の引き操作が解除され、当該指操作部材が引き操作前位置へと復帰されることに伴い連動部材がガイド部材によって非動作位置から動作位置に案内されるとき、連動部材は、内部スイッチに干渉することに伴い当該内部スイッチに対して弾性部材を介して弾発状に変位ないし変形し、これによって干渉による切り換わり動作を阻害されることなく非動作位置から動作位置への切り換わりが許容される構成としている。
本発明によれば、第２モードの終了に伴い内部スイッチがオン状態から初期位置としてオフ状態に復帰され、連動部材の切り換わり経路上に置かれる。この状態で指操作部材の引き操作が解除されると、当該指操作部材が引き操作前の位置に復帰されることに伴い連動部材が非動作位置から動作位置に切り換わる際、切り換わり経路上の内部スイッチに干渉することになる。本発明においては、連動部材の一部を弾性部材で構成し、内部スイッチとの干渉に対し、弾性部材を介して連動部材を弾発状に変位ないし変形し、これによって干渉による切り換わり動作を阻害されることなく連動部材の非動作位置から動作位置への切り換わりを可能としている。すなわち、本発明によれば、内部スイッチとの干渉に拘わらず連動部材を初期位置としての動作位置に戻すことができる。
【００１０】
（請求項３に記載の発明）
請求項３に記載の発明によれば、請求項２に記載の打込み作業工具における連動部材を非動作位置に付勢する手段は、第１のバネ部材によって構成され、また弾性部材は、第２のバネ部材によって構成される。第１のバネ部材と第２のバネ部材とは、それぞれの付勢力が互いに作用し合うように係合される。そして第１のバネ部材の付勢力によって連動部材が動作位置から非動作位置に切り換わる場合、第２のバネ部材は、第１の付勢力を連動部材に対して当該連動部材を動作位置から非動作位置へと動作させる力として伝達する伝達要素として機能する。一方、連動部材が非動作位置から動作位置へと切り換わる場合、第１のバネ部材は、ガイド部材によって非動作位置から動作位置へと案内される際、第２のバネ部材によって初期位置に復帰される構成とされる。本発明によれば、上記の構成とすることで、連動部材の動作位置と非動作位置間での切り換わり動作を支障なく行うことが可能となる。
【００１１】
（請求項４に記載の発明）
請求項４に記載の発明によれば、請求項１〜３のいずれか１つに記載の打込み作業工具における内部スイッチは、トリガスイッチの引き操作に連動して内部スイッチがオン状態となる投入方向へと移動する動作部材と、モータによって動作されるとともに、第１モードから第２モードに切り換わる際および切り換わり後の動作部材の動作を制御する制御部材とを有する。そして制御部材は、動作部材と係合して相対移動することによってトリガスイッチの引き操作により投入方向へと移動された動作部材を更に投入方向へと動作させ、これにより内部スイッチのオン状態を維持しつつ動作部材のトリガスイッチとの連動を解除する連動解除領域と、連動解除領域に連続し、動作部材と係合して更に相対移動することによって連動解除後における内部スイッチのオン状態を継続するオン状態継続領域と、オン状態継続領域に連続し、動作部材との係合を解除することによって当該動作部材の投入方向と反対方向への移動を許容し、これにより内部スイッチのオフ状態への復帰を許容するオフ状態復帰領域と、を有する構成とされる。
本発明における「制御部材」は、モータによって回転駆動される、例えば回転部材によって構成され、当該回転部材の円周面に、連動解除領域、オン状態継続領域、オフ状態復帰領域を周方向に順次連続した態様で形成することができる。
本発明によれば、トリガスイッチの引き操作によって連動してオン状態に投入された内部スイッチにつき、オン状態に投入されてからのトリガスイッチとの連動解除、オン状態の継続、オフ状態への戻り、といった一連の動作を、制御部材によって確実に制御することができる。
【００１２】
（請求項５に記載の発明）
請求項５に記載の発明によれば、請求項４に記載の打込み作業工具においては、制御部材のオフ状態復帰領域に、内部スイッチのオフ状態への復帰に伴うモータの通電停止後における、当該モータのブレーキ作動を可能とするブレーキ作動領域を備えた構成とされる。モータは、通電を停止してからブレーキを作動させて回転動作を停止するまでに所定の時間を必要とする。本発明によれば、オフ状態復帰領域を備えたブレーキ作動領域を、モータを制動する際の制動領域として活用することが可能となる。このため、例えば、モータに対する通電の停止後、ストッパ等を用いて急停止させるといった場合と異なり、衝撃を伴うことなくモータおよび作動機構を停止することが可能となる。
【発明の効果】
【００１３】
本発明によれば、打込み作業工具による打ち込み作業を行う際の、操作性の向上に資する技術が提供されることとなった。
【発明を実施するための最良の形態】
【００１４】
以下、本発明の実施形態につき、図１〜図５を参照しつつ詳細に説明する。本実施の形態は、打込み作業工具の一例として充電式ピンタッカを用いて説明する。図１は本実施の形態に係る充電式ピンタッカ１００の全体構成を示す側断面図であり、図２は図１のＡ−Ａ線に基づく断面図である。図３にはピンタッカ１００の主要部の構成が拡大断面図として示される。図１に示すように、本実施の形態に係るピンタッカ１００は、概括的に見て、ピンタッカ１００の外殻を形成する本体部１０１と、バッテリが収容されるバッテリケース１０９と、被加工材に打ち込まれる打込み材としてのピンが装填されるマガジン１１１とを主体に構成される。
【００１５】
本体部１０１は、駆動モータ１１３を収容するモータハウジング１０３と、打込み機構１１７およびハンマ駆動機構１１９を収容するギアハウジング１０５と、作業者が握るハンドグリップ１０７とによって構成される。駆動モータ１１３は、本発明における「モータ」に対応し、ハンマ駆動機構１１９は、本発明における「作動機構」に対応する。モータハウジング１０３の上方にハンドグリップ１０７が配置され、それらモータハウジング１０３とハンドグリップ１０７の水平方向一端部（図１の右側）にギアハウジング１０５が配置され、水平方向他端部にバッテリケース１０９が配置される。モータハウジング１０３およびギアハウジング１０５の下方にマガジン１１１が配置される。なおマガジン１１１は、打ち込むべきピンを、ギアハウジング１０５の下端部、すなわち本体部１０１の先端部に連接されたピンの射出部１１２に供給するように構成される。
【００１６】
図３に示すように、打込み機構１１７は、上下方向に直線状に延在されて上端部および下端部がそれぞれギアハウジング１０５に固定された棒状のスライドガイド１２１と、スライドガイド１２１に筒状の滑り子１２３を介して上下動可能に装着されたハンマ１２５と、ハンマ１２５を下方に向って打込み動作させるべく当該ハンマ１２５に弾発力を作用させる手段としての圧縮コイルバネ１２７と、ハンマ１２５とともに移動されて射出部１１２のピン打込み口１１２ａに供給されたピンに打撃力を加え、これによって当該ピンを被加工材に打込むドライバ１２９と、を主体にして構成されている。ドライバ１２９は、本発明における「打込み部材」に対応する。ハンマ１２５とドライバ１２９は、連結ピン１３１によって連結されている。またハンマ１２５は、ハンマ駆動機構１１９の上下のリフトローラ１３７，１３９と係合して上方へと押し上げられる上下の係合突起１２５ａ，１２５ｂを有する。なお便宜上ピンおよび被加工材については図示を省略する。
【００１７】
駆動モータ１１３の回転出力は、遊星歯車式の減速機構１１５を介してハンマ駆動機構１１９に回転運動として伝達される。ハンマ駆動機構１１９は、図２および図３に示すように、互いに噛み合い係合して鉛直面内で互いに逆方向に回転する回転体としての上、下のギア１３３，１３５と、それらギア１３３，１３５の回転動作に伴い前記ハンマ１２５を上方へと押し上げる上下のリフトローラ１３７，１３９（図２参照）とを主体にして構成されている。
【００１８】
ギア１３３，１３５は、ギアハウジング１０５内に配置されたフレーム１３４に軸１３３ａ，１３５ａを介して回転可能に装着されている。リフトローラ１３７，１３９は、ギア１３３，１３５の回転中心から偏心した位置に支持軸１３７ａ，１３９ａを介して回転自在に装着され、ギア１３３，１３５の回転に伴いギア１３３，１３５中心回りを円運動、すなわち円弧状の運動をする。なお上部のリフトローラ１３７の支持軸１３７ａからの偏心量と、下部のリフトローラ１３９の支持軸１３９ａからの偏心量は、互いに等しく設定されている。下部のギア１３５は、減速機構１１５の出力軸１１５ａに形成された駆動ギア１１５ｂに噛み合い係合されており、所定の減速比で回転駆動される。なお下部のギア１３５と上部のギア１３３は、ギア比が１対１に設定されている。また下部のリフトローラ１３９と上部のリフトローラ１３７は、約１８０度の位相差を有する配置とされている。そして上下のリフトローラ１３７，１３９は、互いに最も離間した位置、すなわち下部のリフトローラ１３９が下部のギア１３５の下側の位置に置かれ、上部のリフトローラ１３７が上部のギア１３３の上側に置かれた状態（図２に示す状態）を初期位置としている。
【００１９】
駆動モータ１１３が通電駆動され、上下のギア１３３，１３５が図２の矢印方向に回転されると、下部のリフトローラ１３９が下死点に置かれたハンマ１２５の下部の係合突起１２５ｂに下方から係合して上方へと円運動し、当該円運動のうちの上下方向成分によってハンマ１２５を上方へ押し上げる。下部のリフトローラ１３９によるハンマ１２５の押上げ量が最大付近に達した時点で、上部のリフトローラ１３７がハンマ１２５の上部の係合突起１２５ａに下方から係合して上方へと円運動し、ハンマ１２５を上方へ押し上げる。かくして、ハンマ１２５は上下のリフトローラ１３７，１３９の中継を介して下死点（ピン打込み終了位置であって、初期位置に相当する）から上方、すなわち上死点側へと移動され、このハンマ１２５の上方への移動動作によって圧縮コイルバネ１２７が圧縮されて弾発力が蓄積される。そして上死点付近において、ハンマ１２５の上部の係合突起１２５ａは、上部のリフトローラ１３７から更にカム１４０へと受け渡される。そしてハンマ１２５とともにドライバ１２９が上方へと引き上げられると、マガジン１１１に装填されているピンが射出部１１２のピン打込み口１１２ａに供給され、その後、当該カム１４０との係合が解除されると同時に、ハンマ１２５は圧縮コイルバネ１２７の弾発力によって下方へ打込み動作される。これにより射出部１１２のピン打込み口１１２ａに供給されたピンが当該ピン打込み口１１２ａ内を下降するドライバ１２９によって被加工材に打込まれる。打込み動作されたハンマ１２５は、ストッパ１２６に当接することで下死点に保持される。
【００２０】
なおカム１４０とハンマ１２５との係合が解除されてから、ギア１３３，１３５は、次回のハンマ押し上げ動作に備えるべく、更に回転動作を継続し、上下のリフトローラ１３７，１３９が最も離間する初期位置に復帰して停止される。すなわち、下部のリフトローラ１３９が駆動され、ハンマ１２５に係合してドライバ１２９とともに当該ハンマ１２５の上方への押し上げ動作を開始してから下部のリフトローラ１３９が元の初期位置に戻り、次回のハンマ押し上げ動作に備えるまでの期間が本発明における「作業ストローク」に対応し、ギア１３３，１３５の各一回転に相当する。
【００２１】
次に駆動モータ１１３の通電駆動と通電停止を操作する操作装置１６０につき、図４〜図３２を参照しつつ詳細に説明する。先ず、操作装置１６０の構成につき図４、図５および図２２に基づいて説明する。操作装置１６０は、使用者による引き操作によってオン状態に投入されるトリガスイッチ１６３と、当該トリガスイッチ１６３の引き操作に連動してオン状態に投入される内部スイッチ１６１と、オン状態に投入された内部スイッチ１６１のその後のオン状態あるいはオフ状態を制御するカムディスク１７７とを主体にして構成される。トリガスイッチ１６３は、本発明における「トリガスイッチ」に対応し、内部スイッチ１６１は、本発明における「内部スイッチ」に対応し、カムディスク１７７は、本発明における「制御部材」に対応する。
【００２２】
トリガスイッチ１６３は、ハンドグリップ１０７に配置され、使用者によって直線状に引き操作されるトリガ１４１と、常時には駆動モータ１１３の通電駆動を禁止するオフ状態に付勢バネ（図示省略）によって付勢され、トリガ１４１の引き操作によって駆動モータ１１３の通電駆動を許容するオン状態に投入される第１スイッチ１４８（図１および図３参照）と、トリガ１４１の引き操作を内部スイッチ１６１に連動させるスイングアーム１６４とを主体にして構成される。トリガ１４１は、本発明における「指操作部材」に対応し、スイングアーム１６４は、本発明における「連動部材」に対応する。トリガ１４１は、フレーム１３４に固定状態で装着されたガイドプレート１６８に直線動作可能に装着されるとともに、圧縮コイルスプリング１６５によって引き操作方向と反対方向に付勢されており、常時には操作前の操作解除位置に保持されている。そしてトリガ１４１が引き操作されると、レバー１６３ｂ（図３参照）を介して第１スイッチ１４８がオン状態に投入される。スイングアーム１６４は、支軸１６３ａを介してトリガ１４１に連結され、トリガ１４１の引き操作方向と交差する方向に回動可能とされている。そしてスイングアーム１６４は、トリガ１４１の引き操作時には、後述する内部スイッチ１６１のカムブロック１７１と連動する連動位置（図５に示す位置）と、連動が解除される連動解除位置（図１５に示す位置）との間で位置が切り換わる構成とされる。連動位置は、本発明における「動作位置」に対応し、連動解除位置は、本発明における「非動作位置」に対応する。
【００２３】
内部スイッチ１６１は、トリガ１４１の引き操作に連動して直線状に動作するカムブロック１７１と、カムブロック１７１によって回動動作されるスイッチアーム１７２と、常時には駆動モータ１１３の通電駆動を禁止するオフ状態に付勢バネ（図示省略）によって付勢され、スイッチアーム１７２の回動動作によって駆動モータの通電駆動を許容するオン状態に投入される第２スイッチ１７３とを主体にして構成される。カムブロック１７１は、本発明における「動作部材」に対応する。カムブロック１７１は、トリガ１４１の引き操作方向と同方向に直線状に移動し得るようにフレーム１３４に装着されている。カムブロック１７１は、連動位置に置かれたスイングアーム１６４と対向する係合部１７１ａを有し、トリガ１４１が引き操作されたとき、当該トリガ１４１とともに引き操作方向へと移動するスイングアーム１６４の先端面１６４ａに対して係合部１７１ａが面接触で当接されるとともに、当該面接触状態を維持しつつ押圧移動される。すなわち、カムブロック１７１は、トリガ１４１の引き操作に連動して直線状に動作し、プッシュピン１７４を介してスイッチアーム１７２の一端を押し、これによりスイッチアーム１７２が支軸１７２ａ回りに回動動作して第２スイッチ１７３をオン状態に投入する構成とされる。なおスイッチアーム１７２は、第２スイッチ１７３のオン状態を解除する側に第１トーションスプリング１７５によって付勢されている。
【００２４】
またスイングアーム１６４には、第２トーションスプリング１６６が設けられ（図３１および図３２参照）、トリガ１４１には、第３トーションスプリング１６７が設けられている。第２トーションスプリング１６６は、本発明における「弾性部材」および「第２のバネ部材」に対応し、第３トーションスプリング１６７は、本発明における「第１のバネ部材」に対応する。第２トーションスプリング１６６は、一方の足１６６ａがスイングアーム１６４に係止され、他方の足１６６ｂが自由状態となっており、当該自由側の足１６６ｂを支軸１６３ａ回りに回動動作させたとき、当該第２トーションスプリング１６６を介してスイングアーム１６４が回動される構成とされる。なお２トーションスプリング１６６の自由側の足１６６ｂは、その先端部が約９０度折り曲げられている。第３トーションスプリング１６７は、一方の足１６７ａがトリガ１４１に係止され、他方の足１６７ｂが第２トーションスプリング１６６の自由側の足１６６ｂ（折り曲げ部）に係止されている。これにより、第３トーションスプリング１６７の付勢力は、常時に第２トーションスプリング１６６を介してスイングアーム１６４を連動位置から連動解除位置へと回動させる方向に付与され、この付勢力は前述したガイドプレート１６８によって受けられる。
【００２５】
ガイドプレート１６８は、第２トーションスプリング１６６の自由側の足１６６ｂと係合するガイド面１６９を有する。ガイド面１６９は、トリガ１４１の操作方向、すなわちカムブロック１７１の動作方向と平行な方向に延びる平面部１６９ａと、当該平面部１６９ａに交差状に連続して延びる斜面部１６９ｂとからなり、トリガ１４１が操作解除位置に置かれた状態では、第２トーションスプリング１６６の自由側の足１６６ｂを平面部１６９ａによって受け、これによりスイングアーム１６４を連動位置に保持する構成とされている。上記のガイドプレート１６８は、本発明における「ガイド部材」に対応する。トリガ１４１が引き操作されると、トリガ１４１とともに移動するスイングアーム１６４の先端面１６４ａがカムブロック１７１の係合部１７１ａに面接触で当接して当該スイングアーム１６４が第２スイッチ１７３をオン状態とする投入方向へと押圧移動されるが、この移動に伴い第２トーションスプリング１６６の自由側の足１６６ｂがガイド面１６９の平面部１６９ａを通過し、斜面部１６９ｂ側へと移動する。このとき、スイングアーム１６４は、面接触される当接面の摩擦力によって第３トーションスプリング１６７の付勢力に抗して連動位置に維持される。このため、第２トーションスプリング１６６の自由側の足１６６ｂは、斜面部１６９ｂから離間した位置（空間）に置かれるが（図９参照）、その後、カムブロック１７１が後述するカムディスク１７７によって第２スイッチ１７３をオン状態とする投入方向（トリガ引き方向）へと更に移動され、当該カムブロック１７１に対するスイングアーム１６４の当接状態が解除されたときに、第３トーションスプリング１６７の付勢力によってスイングアーム１６４が連動位置から連動解除位置へと回動される構成とされている（図１５参照）。
【００２６】
連動解除位置へ回動されたスイングアーム１６４は、トリガ１４１の引き操作が解除されることに伴い、当該トリガ１４１が操作解除位置へ戻る際、カムブロック１７１がトリガ１４１よりも先に初期位置に戻っていた場合には、当該カムブロック１７１の下面を通り抜けてから初期位置、つまり連動位置に復帰される。このことについては後述する。
【００２７】
以上のように、本実施の形態に係る操作装置１６０は、トリガ１４１が引き操作されたときは、スイングアーム１６４を介してカムブロック１７１が連動し、これによってトリガ１４１によって第１スイッチ１４８がオン状態に投入され、と同時にカムブロック１７１、プッシュピン１７４、スイッチアーム１７２を介して第２スイッチ１７３がオン状態に投入される構成とされる。そして第１スイッチ１４８と第２スイッチ１７３がそれぞれオン状態とされたときに通電駆動され、第１スイッチ１４８または第２スイッチ１７３のいずれか一方がオフ状態となったときに通電が停止される構成とされる。なお図１および図３においては、第１スイッチ１４８と第２スイッチ１７３とは互いに重なり合うように配置される。このため、図１および図３では、第２スイッチ１７３については図示が省略される。
【００２８】
次にカムブロック１７１を制御するカムディスク１７７につき、主として図４および図２２を参照しつつ説明する。カムディスク１７７は、前述したハンマ駆動機構１１９における上部のギア１３３と一体に回転するように装着されている（図３参照）。カムディスク１７７は、その円周面がカム面１７８として設定され、カムブロック１７１の先端が当該カム面１７８に対向するように配置されている。カムディスク１７７のカム面１７８は、周方向において、トリガ１４１の引き操作に連動して第２スイッチ１７３をオン状態にする投入方向へと移動されたカムブロック１７１の先端と係合し、当該カムブロック１７１を投入方向へと更に移動させることによりカムブロック１７１とスイングアーム１６４との連動を解除する掬い傾斜領域１７８ａと、カムブロック１７１の先端との係合を維持しつつ相対移動することによって第２スイッチ１７３のオン状態を維持する大径領域１７８ｂと、カムブロック１７１の先端との係合を解除し、第２スイッチ１７３のオフ状態への復帰を許容する小径領域１７８ｃと、を有する。掬い傾斜領域１７８ａは、本発明における「連動解除領域」に対応し、大径領域１７８ｂは、本発明における「オン状態継続領域」に対応し、小径領域１７８ｃは、本発明における「オフ状態復帰領域」に対応する。
【００２９】
なお掬い傾斜領域１７８ａによってカムブロック１７１が投入方向へと更に移動されたときの、スイッチアーム１７２の過剰な動き回避するべく、カムブロック１７１とスイッチアーム１７２との間に介在されるプッシュピン１７４は、当該カムブロック１７１に対して投入方向と同方向に相対移動可能とされるとともに、付勢バネ１７４ａの弾発力を介してスイッチアーム１７２に当接されている。すなわち、掬い傾斜領域１７８ａによるカムブロック１７１の投入方向への移動時には、プッシュピン１７４がカムブロック１７１に対して相対移動することで当該カムブロック１７１の動きを吸収する。
【００３０】
掬い傾斜領域１７８ａは、大径領域１７８ｂと小径領域１７８ｃとの間に位置し、小径領域１７８ｃから大径領域１７８ｂに向って直線状に延びる斜面によって形成される。大径領域１７８ｂと小径領域１７８ｃのそれぞれは、カムディスク１７１の回転軸心を中心とする円弧面によって形成されている。またカムディスク１７７は、小径領域１７８ｃと掬い傾斜領域１７８ａとの境界にストッパ面１７８ｄを有し、当該ストッパ面１７８ｄがカムブロック１７１の先端側面に当接することによって当該カムディスク１７７の規定位置を越える回転（オーバーラン）が規制されている。そしてカムディスク１７７は、カムブロック１７１の先端が小径領域１７８ｃの掬い傾斜領域１７８ａ側端部に置かれた位置、すなわちストッパ面１７８ｄに当接あるいは近接した位置を初期位置して定められており、回転動作時において、カムブロック１７１に対して掬い傾斜領域１７８ａ、大径領域１７８ｂ、小径領域１７８ｃの順で対向するよう構成されている。
【００３１】
なお本実施の形態においては、図４に示すように、小径領域１７８ｃは、カムディスク１７７の円周のうちの９０度を越える範囲を占めている。これは、第２スイッチ１７３のオフ状態への復帰に伴う駆動モータ１１３に対する通電停止後において、当該駆動モータ１１３にブレーキを作動させるブレーキ作動領域として活用するべく設定されている。すなわち、小径領域１７８ｃは、ブレーキ作動領域を備えた構成とされる。
【００３２】
また本実施の形態においては、トリガ１４１の引き操作を禁止するセーフティレバー１４３をハンドグリップ１０７に備えている。トリガ１４１は、セーフティレバー１４３が図１に実線で示されるロック位置に置かれるときは、引き操作が不能とされ、セーフティレバー１４３が図１に仮想線で示すロック解除位置に置かれたときに引き操作が可能とされる。また本体部１０１には、ピンの打込み領域を照射するライト１４５（図１参照）が設けられている。ライト１４５は、セーフティレバー１４３がロック解除位置に置かれたときに、当該セーフティレバー１４３によってライト点灯用のスイッチ１４７がオン動作されることで点灯され、セーフティレバー１４３がロック位置に置かれたときに、ライト点灯用のスイッチ１４７がオフ動作されることで消灯されるように構成されている。
【００３３】
本実施の形態に係るピンタッカ１００は、上記のように構成されている。以下、図４〜図３０を参照しつつ、ピンタッカ１００の作用につき操作装置１６０を主体にして説明する。図４、図５および図２２は、操作装置１６０が使用者によって操作されていない初期状態を示している。この初期状態では、スイングアーム１６４が連動位置に置かれ、その先端面１６４ａがカムブロック１７１の係合部１７１ａに対して所定の間隔を置いて対向している。またカムブロック１７１の先端がカムディスク１７７の小径領域１７８ｃの端部付近に位置している。そして第１スイッチ１４８および第２スイッチ１７３がともにオフ状態に置かれ、駆動モータ１１３が停止している。またドライバ１２９が下死点に置かれている（図２参照）。
【００３４】
図６、図７および図２３には、使用者によるトリガ１４１の引き操作が開始された状態が示され、スイングアーム１６４の先端面１６４ａがカムブロック１７１の係合部１７１ａに面接触で当接されている。図８、図９および図２４には、トリガ１４１が更に引かれ、トリガ１４１とともに移動するスイングアーム１６４によってカムブロック１７１が押されて移動した状態が示される。すなわち、カムブロック１７１は、カムディスク１７７のストッパ面１７８ｄから外れた位置（当接回避位置）まで移動され、カムディスク１７７の回転を許容する。このとき、第１および第２スイッチ１４８，１７３がオン動作される直前の状態である。またスイングアーム１６４に設けられた第２トーションスプリング１６６の自由側の足１６６ｂがガイド面１６９の平面部１６９ａを通過するが、スイングアーム１６４は、カムブロック１７１の係合部１７１ａとの当接面の摩擦力によって第３トーションスプリング１６７の付勢力に抗して連動位置に保持される。
【００３５】
図１０、図１１および図２５には、トリガ１４１が更に引かれ、レバー１６３ｂを介し第１スイッチ１４８がオン状態に投入され、と同時にカムブロック１７１、プッシュピン１７４、スイッチアーム１７２を介して第２スイッチ１７３がオン状態に投入され、これにより駆動モータ１１３が通電駆動された状態が示される。駆動モータ１１３が通電駆動されると、前述したように、減速機構１１５を介してハンマ駆動機構１１９のギア１３３，１３５が駆動され、ハンマ１２５の押し上げ動作が開始される。すなわちドライバ１２９のピン打込み作業がスタートする。一方、ギア１３３，１３５が駆動されることに伴いカムディスク１７７が図示の左回りに回転を開始し、掬い傾斜領域１７８ａによってカムブロック１７１を投入方向へと移動させる。
【００３６】
図１２、図１３および図２６には、トリガ１４１が更に引かれて引き操作端に達するとともに、カムブロック１７１がカムディスク１７７の掬い傾斜領域１７８ａによって投入方向へ更に移動された状態が示される。トリガが引き操作端に達してから、カムブロック１７１はカムディスク１７７の掬い傾斜領域１７８ａによって投入方向へ更に移動される。これにより、カムブロック１７１の係合部１７１ａがスイングアーム１６４の先端面１６４ａから離間し、当接面間における摩擦力が消去する。このため、スイングアーム１６４は、第３トーションスプリング１６７の付勢力により、連動位置から連動解除位置へと回動される。この状態が図１４、図１５および図２７に示される。
【００３７】
カムディスク１７７は、回転を続け、カムブロック１７１の先端が当該カムディスク１７７の大径領域１７８ｂに乗り上がる。これにより第２スイッチ１７３のオン状態が維持され、またトリガ１４１の引き操作によってオン状態に投入されている第１スイッチ１４８もオン状態が維持されるため、駆動モータ１１３の通電駆動も維持される。この状態が図１６、図１７および図２８に示される。そしてカムブロック１７１の先端がカムディスク１７７の大径領域１７８ｂに係合しつつ相対移動する過程において、ドライバ１２９によるピンの打込み動作が行われる。すなわち、ハンマ駆動機構１１９のリフトローラ１３７，１３９およびカム１４０を介して上死点へと移動されたハンマ１２５が、当該カム１４０との係合を解除される。そして係合を解除されたハンマ１２５とともにドライバ１２９が、蓄積された圧縮コイルバネ１２７の弾発力によって下方へ打込み動作され、ピンを被加工材に打込む。なお打込み動作されたハンマ１２５は、ストッパ１２６に当接することで下死点に保持される。
【００３８】
カムディスク１７７は、更に回転を続け、カムブロック１７１の先端が当該カムディスク１７７の小径領域１７８ｃに達する。すると、第１トーションスプリング１７５の付勢力により、スイッチアーム１７２、プッシュピン１７４を介してカムブロック１７１がトリガ１４１の引き方向と逆方向へ移動される。これにより、第２スイッチ１７３がオフ状態に復帰され、駆動モータ１１３に対する通電が停止される。この状態が図１８、図１９および図２９に示される。その後、駆動モータ１１３は制動を受けつつ、慣性によって回転を続けた後停止する。これにより、カムディスク１７７も同様に回転し、小径領域１７８ｃの端部付近の初期位置に戻り、またハンマ駆動機構１１９の各構成部材もそれぞれ初期位置に戻る。
【００３９】
使用者がトリガ１４１から手を離して引き操作を解除すると、トリガ１４１は、圧縮コイルスプリング１６５の付勢力により、引き操作前の操作解除位置に戻る。このとき、トリガ１４１とともにスイングアーム１６４が移動することに伴い、第２トーションスプリング１６６の自由側の足１６６ｂがガイド面１６９の斜面部１６９ｂに当接して押され、スイングアーム１６４は、元の位置、すなわち連動位置に戻ろうとする。この状態が図２０、図２１および図３０に示される。このとき、スイングアーム１６４は、カムブロック１７１の係合部１７１ａの下面に接触するが、ガイドプレート１６８の斜面部１６９ｂにて案内される第２トーションスプリング１６６が撓むことによって係合部１７１ａの下面に接触しつつ通り抜け、図４、図５および図２２に示す初期位置である連動位置へと復帰される。なお第２トーションスプリング１６６は、ガイドプレート１６８の斜面部１６９ｂにて案内されて移動するときそれ自体が撓みつつ第３トーションスプリング１６７を撓ませて初期位置に復帰させる。これにより第３トーションスプリング１６７には、スイングアーム１６４を連動位置から連動解除位置へと回動させる付勢力が付与（補充）されることになる。かくして、ドライバ１２９によるピンの一回の打込み作業が完了する。
【００４０】
なお使用者がトリガ１４１の引き操作を、例えばドライバ１２９を下死点から上死点へ押し上げる段階等の、ドライバ１２９による打込み作業の途中で中断することが考えられる。このとき、本実施の形態の操作装置１６０によれば、内部スイッチ１６１系の第２スイッチ１７３はカムディスク１７７によってオン状態に維持されるも、トリガスイッチ１６３系の第１スイッチ１４８がトリガ１４１の操作解除位置への復帰に伴いオフ状態に戻る。このため、駆動モータ１１３に対する通電が停止され、打込み作業を途中で止めることができる。また中断後において、トリガ１４１を再び引き操作して第１スイッチ１４８をオン状態に投入すれば、駆動モータ１１３が通電駆動される。すなわち、中断したドライバ１２９による打ち込み作業を支障なく再開することができる。
【００４１】
以上述べたように、本実施の形態に係る操作装置１６０は、トリガ１４１が引き操作されたとき、第１スイッチ１４８がオン状態に投入されるとともに、第２スイッチ１７３がトリガ１４１の引き操作に連動してオン状態に投入されて維持され、そしてトリガ１４１の引き操作の解除によって当該第１スイッチ１４８がオフ状態に戻される第１の操作モードを有する。この第１の操作モードは、本発明における「第１モード」に対応する。
またトリガ１４１の引き操作が維持されると、第１スイッチ１４８のオン状態が維持されるとともに、第２スイッチ１７３が作業ストロークの所定期間にわたってオン状態が維持されてからオフ状態へと復帰され、そしてトリガ１４１の引き操作の解除によって第１スイッチ１４８がオフ状態に戻される第２の操作モードを有する。この第２の操作モードは、本発明における「第２モード」に対応する。そしてトリガ１４１の引き操作による操作装置１６０の第１の操作モードへの投入によって打込み部材の作業ストロークが開始し、当該作業ストロークの開始後の所定時期に第１の操作モードから第２の操作モードに切り換わる構成である。
【００４２】
上記のように構成された本実施の形態によれば、トリガ１４１を一回引き操作する毎にドライバ１２９に一回の打込み作業を行わせてから停止させるといった動作を、トリガ１４１の引き操作のみで行うことができる。このため、接触検出アームの被加工材に対する押し当て操作とトリガの引き操作とを必要とする従来装置に比べて、操作装置１６０の操作性を向上することができる。
【００４３】
また本実施の形態においては、トリガ１４１の引き操作方向とカムブロック１７１の動作方向とを同方向に定めている。このことにより、当該トリガ１４１の引き操作に対するカムブロック１７１の連動システムを構築する際の設計が楽になる。またトリガ１４１とカムブロック１７１との連動あるいは連動解除を、回動動作するスイングアーム１６４によって行う構成である。このため、スイングアーム１６４は、軸と孔との嵌め合いによる構成となり、加工精度が出し易く、円滑な動作を得ることができる。またスイングアーム１６４が連動解除位置から連動位置へ復帰する際の動作につき、第２トーションスプリング１６６の撓みを利用することによってスイングアーム１６４をカムブロック１７１に干渉させつつ合理的に連動位置へと復帰することを可能としている。
【００４４】
また本実施の形態においては、トリガ１４１の引き操作に連動して第２スイッチ１７３をオン状態に投入動作するカムブロック１７１につき、回転動作するカムディスク１７７によって制御するとともに、当該カムディスク１７７を、ハンマ１１９を駆動するハンマ駆動機構１１９のギア１３３と一体に回転する構成としている。このため、ハンマ駆動機構１１９によるハンマ１２５の駆動動作に対するカムブロック１７１による、第２スイッチ１７３のオン動作あるいはオフ動作の動作タイミングが設定し易い。また第２スイッチ１４８のオフ動作のタイミング、つまり駆動モータ１１３に対する通電を停止するタイミングを、当該駆動モータ１１３のブレーキ作動後の停止位置を考慮して設定することが可能となる。本実施の形態では、カムディスク１７７に形成される小径領域１７８ｃに駆動モータ１１３に対するブレーキ作動領域を備えた構成であり、これにより駆動モータ１１３の通電の停止後における当該駆動モータ１１３およびハンマ駆動機構１１９を衝撃の少ない状態で停止することが可能とされる
【００４５】
なお本実施の形態では、スイングアーム１６４が連動位置と連動解除位置との間で回動動作するによって、トリガ１４１とカムブロック１７１とを連動あるいは連動を解除する構成としたが、スイングアーム１６４に代えてトリガ１４１の引き操作方向と交差する方向に直線状に移動する摺動部材を設け、当該摺動部材を連動位置と連動解除位置との間で移動することによってトリガ１４１とカムブロック１７１とを連動あるいは連動を解除する構成としてもよい。また本実施の形態は、ピンタッカ１００を用いて説明したが、これに限らず、圧縮コイルバネ１２７の弾発力によってハンマ１２５の打込み動作を行う形式の打込み作業工具であれば、適用することが可能である。また圧縮コイルバネ１２７は、引っ張りコイルバネに変更してもよい。
【００４６】
上記発明の趣旨に鑑み、以下の態様を構成することが可能とされる。
（態様１）
「請求項１〜３のいずれかに記載の打込み作業工具であって、
前記連動部材は、前記指操作部材の引き操作方向と交差する方向に回動動作し、これによって前記内部スイッチと連動する動作位置と、当該連動が解除される非動作位置との間で位置が切り換わる構成としたことを特徴とする打込み作業工具。」
【００４７】
（態様２）
「態様１に記載の打込み作業工具であって、
前記連動部材は、前記指操作部材が引き操作される際、当該引き操作方向において前記内部スイッチと面接触で当接するとともに当該当接面の摩擦力によって前記内部スイッチと連動する動作位置に保持され、前記内部スイッチから離間して前記摩擦力が消去したときには、弾性部材による弾性力によって非動作位置へ回動動作される構成としたことを特徴とする打込み作業工具。」
【００４８】
（態様３）
「態様１または２に記載の打込み作業工具であって、
前記連動部材は、前記指操作部材が引き操作方向と反対方向へ動作する際、前記弾性部材を撓ませつつ前記内部スイッチに対して相対的に滑り移動することで、前記非動作位置から前記動作位置に復帰する構成としたことを特徴とする打込み作業工具。」
【図面の簡単な説明】
【００４９】
【図１】本発明の実施形態に係る充電式ピンタッカの全体構成を示す側断面図である。
【図２】図１のＡ−Ａ線に基づく断面図である。
【図３】ピンタッカの主要部の構成を示す拡大断面図である。
【図４】操作装置を示す平面図であり、トリガが引き操作されていない初期状態を示す。
【図５】操作装置を示す正面図であり、トリガが引き操作されていない初期状態を示す。
【図６】操作装置を示す平面図であり、トリガの引き操作が開始された状態を示す。
【図７】操作装置を示す正面図であり、トリガの引き操作が開始された状態を示す。
【図８】操作装置を示す平面図であり、トリガが更に引かれ、カムディスクの回転が許容された状態を示す。
【図９】操作装置を示す正面図であり、トリガが更に引かれ、カムディスクの回転が許容されたた状態を示す。
【図１０】操作装置を示す平面図であり、トリガが更に引かれ、カムディスクが回転を開始した状態を示す。
【図１１】操作装置を示す正面図であり、トリガが更に引かれ、カムディスクが回転を開始した状態を示す。
【図１２】操作装置を示す平面図であり、トリガが引き操作端に達した状態を示す。
【図１３】操作装置を示す正面図であり、トリガが引き操作端に達した状態を示す。
【図１４】操作装置を示す平面図であり、トリガとカムブロックとの連動が解除された状態を示す。
【図１５】操作装置を示す正面図であり、トリガとカムブロックとの連動が解除された状態を示す。
【図１６】操作装置を示す平面図であり、カムブロックが第２スイッチのオン状態を維持する位置に置かれた状態を示す。
【図１７】操作装置を示す正面図であり、カムブロックが第２スイッチのオン状態を維持する位置に置かれた状態を示す。
【図１８】操作装置を示す平面図であり、カムブロックが第２スイッチをオフ状態とする位置に置かれた状態を示す。
【図１９】操作装置を示す正面図であり、第２スイッチがオフ状態に復帰された状態を示す。
【図２０】操作装置を示す平面図であり、スイングアームが元の連動位置に戻ろうとする状態を示す。
【図２１】操作装置を示す正面図であり、スイングアームが元の連動位置に戻ろうとする状態を示す。
【図２２】操作装置を示す斜視図であり、トリガが引き操作されていない初期状態を示す。
【図２３】操作装置を示す斜視図であり、トリガの引き操作が開始された状態を示す。
【図２４】操作装置を示す斜視図であり、トリガが更に引かれ、カムディスクの回転が許容された状態を示す。
【図２５】操作装置を示す斜視図であり、トリガが更に引かれ、カムディスクが回転を開始した状態を示す。
【図２６】操作装置を示す斜視図であり、トリガが引き操作端に達した状態を示す。
【図２７】操作装置を示す斜視図であり、トリガとカムブロックとの連動が解除された状態を示す。
【図２８】操作装置を示す斜視図であり、カムブロックが第２スイッチのオン状態を維持する位置に置かれた状態を示す。
【図２９】操作装置を示す斜視図であり、第２スイッチがオフ状態に復帰された状態を示す。
【図３０】操作装置を示す斜視図であり、スイングアームが元の連動位置に戻ろうとする状態を示す。
【図３１】スイングアームを示す平面図である。
【図３２】スイングアームを示す斜視図である。
【符号の説明】
【００５０】
１００  ピンタッカ（打込み作業工具）
１０１  本体部
１０３  モータハウジング
１０５  ギアハウジング
１０７  ハンドグリップ
１０９  バッテリケース
１１１  マガジン
１１２  射出部
１１２ａ  ピン打込み口
１１３  駆動モータ（モータ）
１１５  減速機構
１１５ａ  出力軸
１１５ｂ  駆動ギア
１１７  打込み機構
１１９  ハンマ駆動機構（作動機構）
１２１  スライドガイド
１２３  滑り子
１２５  ハンマ
１２５ａ  上部の係合突起
１２５ｂ  下部の係合突起
１２６  ストッパ
１２７  圧縮コイルバネ
１２９  ドライバ（打込み部材）
１３１  連結ピン
１３３  上部のギア
１３３ａ  軸
１３４  フレーム
１３５  下部のギア
１３５ａ  軸
１３７  上部のリフトローラ
１３７ａ  支持軸
１３９  下部のリフトローラ
１３９ａ  支持軸
１４０  カム
１４１  トリガ
１４３  セーフティレバー
１４５  ライト
１４７  ライト点灯用のスイッチ
１４８  第１スイッチ
１６０  操作装置
１６１  内部スイッチ
１６３  トリガスイッチ
１６３ａ  支軸
１６３ｂ  レバー
１６４  スイングアーム（連動部材）
１６４ａ  先端面
１６５  圧縮コイルスプリング
１６６  第２トーションスプリング（弾性部材、第２のバネ部材）
１６６ａ  一方の足
１６６ｂ  他方の（自由側の）足
１６７  第３トーションスプリング（第１のバネ部材）
１６７ａ  一方の足
１６７ｂ  他方の（自由側の）足
１６８  ガイドプレート（ガイド部材）
１６９  ガイド面
１６９ａ  平面部
１６９ｂ  斜面部
１７１  カムブロック
１７１ａ  係合部
１７２  スイッチアーム
１７２ａ  支軸
１７３  第２スイッチ
１７４  プッシュピン
１７４ａ  付勢バネ
１７５  第１トーションスプリング
１７７  カムディスク（制御部材）
１７８  カム面
１７８ａ  掬い傾斜領域（連動解除領域）
１７８ｂ  大径領域（オン状態継続領域）
１７８ｃ  小径領域（オフ状態復帰領域）
１７８ｄ  ストッパ面
【図１】
0004749828.tif 000002
【図２】
0004749828.tif 000003
【図３】
0004749828.tif 000004
【図４】
0004749828.tif 000005
【図５】
0004749828.tif 000006
【図６】
0004749828.tif 000007
【図７】
0004749828.tif 000008
【図８】
0004749828.tif 000009
【図９】
0004749828.tif 000010
【図１０】
0004749828.tif 000011
【図１１】
0004749828.tif 000012
【図１２】
0004749828.tif 000013
【図１３】
0004749828.tif 000014
【図１４】
0004749828.tif 000015
【図１５】
0004749828.tif 000016
【図１６】
0004749828.tif 000017
【図１７】
0004749828.tif 000018
【図１８】
0004749828.tif 000019
【図１９】
0004749828.tif 000020
【図２０】
0004749828.tif 000021
【図２１】
0004749828.tif 000022
【図２２】
0004749828.tif 000023
【図２３】
0004749828.tif 000024
【図２４】
0004749828.tif 000025
【図２５】
0004749828.tif 000026
【図２６】
0004749828.tif 000027
【図２７】
0004749828.tif 000028
【図２８】
0004749828.tif 000029
【図２９】
0004749828.tif 000030
【図３０】
0004749828.tif 000031
【図３１】
0004749828.tif 000032
【図３２】
0004749828.tif 000033